(57)【要約】【課題】光通信に用いる受光装置を得ること。【解決手段】コリメートされた複数の光信号を集光するレンズアレイ３と、レンズアレイ３によって集光された複数の光信号の光の状態をコリメート光に変換するレンズ４と、レンズ４によってコリメートされた複数の光信号を集光させるレンズ５と、レンズ５によって集光された光信号を受光する受光部（６１，６２，６３，６４）を備え、レンズアレイ３とレンズ４とを、それらの距離がそれぞれのレンズの焦点距離の和となるように配置し、また、レンズ４とレンズ５とを、それらの距離がそれぞれのレンズの焦点距離の和となるように配置し、さらに、レンズ５と受光部（６１，６２，６３，６４）とを、それらの距離がレンズ５の焦点距離となるように配置する。【選択図】        図１
2010160218.tif 000002
【特許請求の範囲】
【請求項１】
複数の光信号を同時に受光可能な受光装置であって、
コリメートされた複数の光信号を集光する集光レンズアレイと、
前記集光レンズアレイによって集光された複数の光信号の光の状態をコリメート光に変換する変換レンズと、
前記変換レンズによってコリメートされた複数の光信号を集光させる集光レンズと、
前記集光レンズによって集光された光信号を受光する受光手段と、
を備え、
前記集光レンズアレイと前記変換レンズとを、それらの距離がそれぞれのレンズの焦点距離の和となるように配置し、また、前記変換レンズと前記集光レンズとを、それらの距離がそれぞれのレンズの焦点距離の和となるように配置し、さらに、前記集光レンズと前記受光手段とを、それらの距離が前記集光レンズの焦点距離となるように配置することを特徴とする受光装置。
【請求項２】
さらに、
外部から複数の光信号を自装置内へ入力するポートと、
前記ポートから入射された複数の光信号の光の状態をそれぞれコリメート光へ変換して前記集光レンズアレイへ出力する変換レンズアレイと、
を備えることを特徴とする請求項１に記載の受光装置。
【請求項３】
さらに、
外部から波長多重された光信号を自装置内へ入力するポートと、
前記ポートから入射された波長多重光信号の光の状態をコリメート光へ変換する入射光変換レンズと、
コリメート光へ変換された波長多重光信号を波長ごとに分離して前記集光レンズアレイへ出力する波長多重フィルタと、
を備えることを特徴とする請求項１に記載の受光装置。
【請求項４】
さらに、
前記集光レンズからの光信号の光の状態をコリメート光へ変換する別光路用変換レンズと、
前記別光路用変換レンズからの光信号を前記受光手段へ集光させる別光路用集光レンズと、
を備え、
前記別光路用変換レンズと前記別光路用集光レンズとを、前記集光レンズと前記受光手段の間に配置し、前記集光レンズと前記別光路用変換レンズとを、それらの距離がそれぞれのレンズの焦点距離の和となるように配置し、また、前記別光路用変換レンズと前記別光路用集光レンズとを、それらの距離がそれぞれのレンズの焦点距離の和となるように配置し、さらに、前記別光路用集光レンズと前記受光手段とを、それらの距離が前記別光路用集光レンズの焦点距離となるように配置することを特徴とする請求項２または３に記載の受光装置。
【請求項５】
さらに、
自装置に入力された光信号が前記受光手段において受光されるまでの間に当該光信号の進行方向を変換するミラー、
を備え、
前記ミラーを用いて光信号の進行方向を変換して前記ポートと前記受光手段を同一方向に配置することを特徴とする請求項２、３または４のいずれか１つに記載の受光装置。
【請求項６】
複数の光信号を同時に受光可能な光送受信装置であって、
請求項１に記載の受光装置と、
外部からの複数の光信号を自装置内へ入力する入力ポートと、
自装置内から光信号を外部へ出力する出力ポートと、
前記入力ポートから複数の光信号が入射された場合に光の状態をそれぞれコリメート光へ変換し、また、自装置から発光された光信号が入力された場合に前記出力ポートへ集光させる変換レンズアレイと、
自装置からの光信号を前記集光レンズへ出力する発光手段と、
を備え、
前記発光手段が光信号を出力する場合に、前記集光レンズは当該発光手段からの光信号をコリメート光に変換し、前記変換レンズは前記集光レンズによってコリメート変換された光信号を集光し、前記集光レンズアレイは前記変換レンズによって集光された光信号をコリメート変換することを特徴とする光送受信装置。
【請求項７】
さらに、
自装置に入力された光信号が前記受光手段において受光されるまでの間に当該光信号の進行方向を変換し、また、前記発光手段からの光信号が自装置から外部へ出力されるまでの間に当該光信号の進行方向を変換するミラー、
を備え、
前記ミラーを用いて前記各光信号の進行方向を変換して、外部と自装置との間で光信号の入力を行う入力ポートおよび出力を行う出力ポートと、前記受光手段および前記発光手段とを同一方向に配置することを特徴とする請求項６に記載の光送受信装置。
【請求項８】
複数の光信号を同時に受光可能な光送受信装置であって、
請求項１に記載の受光装置と、
外部から波長多重された光信号が入力された場合に自装置内へ出力し、また、自装置内からの光信号が入力された場合に外部へ出力する入出力ポートと、
前記入出力ポートから波長多重光信号が入射された場合に光の状態をコリメート光へ変換し、また、自装置から発光された光信号が入力された場合に前記入出力ポートへ集光させる入出力光変換レンズと、
コリメート光へ変換された前記入出力ポートからの波長多重光信号が入力された場合に、波長ごとに分離して前記集光レンズアレイへ出力し、また、自装置からの光信号が入力された場合に前記入出力光変換レンズへ出力する波長多重フィルタと、
自装置からの光信号を前記集光レンズへ出力する発光手段と、
を備え、
前記発光手段が光信号を出力する場合に、前記集光レンズは当該発光手段からの光信号をコリメート光に変換し、前記変換レンズは前記集光レンズによってコリメート変換された光信号を集光し、前記集光レンズアレイは前記変換レンズによって集光された光信号をコリメート変換することを特徴とする光送受信装置。
【請求項９】
さらに、
自装置に入力された光信号が前記受光手段において受光されるまでの間に当該光信号の進行方向を変換し、また、前記発光手段からの光信号が自装置から外部へ出力されるまでの間に当該光信号の進行方向を変換するミラー、
を備え、
前記ミラーを用いて前記各光信号の進行方向を変換して、外部と自装置との間で光信号の入力および出力を行う入出力ポートと、前記受光手段および前記発光手段とを同一方向に配置することを特徴とする請求項８に記載の光送受信装置。
【請求項１０】
さらに、
前記集光レンズからの光信号の光の状態をコリメート光へ変換する別光路用変換レンズと、
前記別光路用変換レンズからの光信号を前記受光手段へ集光させる別光路用集光レンズと、
を備え、
前記別光路用変換レンズと前記別光路用集光レンズとを、前記集光レンズと前記受光手段の間に配置し、前記集光レンズと前記別光路用変換レンズとを、それらの距離がそれぞれのレンズの焦点距離の和となるように配置し、また、前記別光路用変換レンズと前記別光路用集光レンズとを、それらの距離がそれぞれのレンズの焦点距離の和となるように配置し、さらに、前記別光路用集光レンズと前記受光手段とを、それらの距離が前記別光路用集光レンズの焦点距離となるように配置することを特徴とする請求項６〜９のいずれか１つに記載の光送受信装置。
【発明の詳細な説明】
【技術分野】
【０００１】
本発明は、光通信に用いる受光装置および光送受信装置に関する。
【背景技術】
【０００２】
従来、光通信を行う受光装置は、入射ポートから受信した光信号の光の状態を、レンズを用いてコリメート光に変換する。その後、波長分離フィルタ用いて波長分離を行う。さらに、レンズアレイを用いて、波長分離された複数の光を受光部へ結合させている。このような技術が下記特許文献１において開示されている。
【０００３】
【特許文献１】特開２００６−２４３７６８号公報
【発明の開示】
【発明が解決しようとする課題】
【０００４】
しかしながら、上記従来の技術によれば、波長分離フィルタの実装精度およびピッチ精度、レンズアレイの実装精度およびピッチ精度、受光部の実装精度およびピッチ精度において精度が低い場合、受光部におけるレンズアレイからの集光点ピッチと実際のレンズアレイと受光部間のピッチに差が生じ、結合効率にばらつきが発生する。そのため、各構成において実装精度およびピッチ精度の高精度化が必要となる、という問題があった。
【０００５】
本発明は、上記に鑑みてなされたものであって、使用する各構成の実装精度およびピッチ精度の緩和が可能な受光装置を得ることを目的とする。
【課題を解決するための手段】
【０００６】
上述した課題を解決し、目的を達成するために、本発明は、複数の光信号を同時に受光可能な受光装置であって、コリメートされた複数の光信号を集光する集光レンズアレイと、前記集光レンズアレイによって集光された複数の光信号の光の状態をコリメート光に変換する変換レンズと、前記変換レンズによってコリメートされた複数の光信号を集光させる集光レンズと、前記集光レンズによって集光された光信号を受光する受光手段と、を備え、前記集光レンズアレイと前記変換レンズとを、それらの距離がそれぞれのレンズの焦点距離の和となるように配置し、また、前記変換レンズと前記集光レンズとを、それらの距離がそれぞれのレンズの焦点距離の和となるように配置し、さらに、前記集光レンズと前記受光手段とを、それらの距離が前記集光レンズの焦点距離となるように配置すること、を特徴とする。
【発明の効果】
【０００７】
この発明によれば、使用する各構成の実装精度およびピッチ精度の緩和が可能となる、という効果を奏する。
【発明を実施するための最良の形態】
【０００８】
以下に、本発明にかかる受光装置の実施の形態を図面に基づいて詳細に説明する。なお、この実施の形態によりこの発明が限定されるものではない。
【０００９】
実施の形態１．
図１は、本実施の形態の受光装置の構成例を示す図である。受光装置は、入射ポート１−１，１−２，１−３，１−４と、レンズアレイ２と、レンズアレイ３と、レンズ４と、レンズ５と、受光部アレイ６と、電気出力ポート７−１，７−２，７−３，７−４と、を備える。
【００１０】
入射ポート１−１，１−２，１−３，１−４は、外部からデジタル情報に基づいて変調された光信号を受信装置内へ入射する。レンズアレイ２は、さらに、レンズ２１，２２，２３，２４を備え、それぞれ入射ポートからの１つの光信号の光の状態をコリメート光に変換する。レンズアレイ２としては、４つの光をコリメート光に変換する。レンズアレイ３は、さらに、レンズ３１，３２，３３，３４を備え、それぞれ入射した１つのコリメート光を集光する。レンズアレイ３としては、４つのコリメート光を集光する。レンズ４は、入射した４つの集光された光を同時にコリメート光に変換する。レンズ５は、入射した４つのコリメート光を各受光部へ集光する。受光部アレイ６は、さらに、受光部６１，６２，６３，６４を備え、それぞれレンズ５が集光した光（光信号）を受光する。電気出力ポート７−１，７−２，７−３，７−４は、それぞれ、受光部６１，６２，６３，６４からの光信号を電気信号に変換して出力する。
【００１１】
つぎに、各構成の配置について説明する。ここで、レンズ３１，３２，３３，３４の焦点距離をｆ３、レンズ４の焦点距離をｆ４、レンズ５の焦点距離をｆ５とする。また、レンズ３１，３２，３３，３４、および受光部６１，６２，６３，６４は、それぞれ同一面に並んでいるものとする。各構成間の距離を、レンズ３１，３２，３３，３４とレンズ４の距離を「ｆ３＋ｆ４」とし、レンズ４とレンズ５の距離を「ｆ４＋ｆ５」とし、レンズ５と受光部６１，６２，６３，６４の距離を「ｆ５」とするテレセントリック光学系に配置する。この場合、レンズ３１，３２，３３，３４の集光位置である参照面と、受光部６１，６２，６３，６４での光信号の倍率は「ｆ５／ｆ４」倍として表すことができる。また、参照面と受光部６１，６２，６３，６４における集光位置のばらつきも「ｆ５／ｆ４」倍として表すことができる。
【００１２】
図１の受光装置において、入射ポート（光ファイバ）１−１，１−２，１−３，１−４の実装精度およびピッチ精度、レンズ２１，２２，２３，２４の実装精度およびピッチ精度、レンズ３１，３２，３３，３４の実装精度およびピッチ精度において精度が低い場合、レンズ３１，３２，３３，３４を通過した光（光信号）の集光位置（参照面）のピッチがばらついてしまう。本実施の形態では、ｆ５をｆ４よりも小さくして「ｆ５／ｆ４」の値を１より小さくする。これによって、参照面における集光位置のばらつきよりも、受光部６１，６２，６３，６４における集光位置のばらつきを低減することができる。
【００１３】
つづいて、受光装置における光信号の受信動作について説明する。入射ポート１−１，１−２，１−３，１−４は、光信号を入射されると、それぞれ、レンズアレイ２の各レンズ２１，２２，２３，２４へ出力する。レンズ２１，２２，２３，２４は、それぞれ入力した１つの光信号の光の状態をコリメート光に変換する。レンズアレイ３の各レンズ３１，３２，３３，３４は、それぞれ入射した１つのコリメート光を集光する。レンズ４は、レンズ３１，３２，３３，３４が集光した４つの光を、同時にコリメート光に変換する。その後、レンズ４と対になるレンズ５が、４つのコリメート光を、受光部アレイ６が備える受光部６１，６２，６３，６４へ集光する。受光部６１，６２，６３，６４は、集光された光（光信号）を受光し、それぞれ、対応する電気出力ポート７−１，７−２，７−３，７−４へ出力する。電気出力ポート７−１，７−２，７−３，７−４は、光信号を電気信号に変換して電気信号として出力する。
【００１４】
以上説明したように、本実施の形態では、入力した複数の光信号の光の状態を複数のレンズによってコリメート光に変換および複数のレンズによって集光後、さらに、１組のレンズを用いてコリメート光に変換および集光することとした。これにより、１組のレンズの焦点距離の関係に基づいて、受光部における集光位置のばらつきを低減することができる。
【００１５】
なお、入射する光信号を４つの場合について説明したがこれに限定するものではない。入射ポートやレンズアレイが備えるレンズの数等を増やすことで、５つ以上の光信号を扱うことも可能である。また、現状の構成において、扱う光信号を３つ以下にしてもよい。
【００１６】
実施の形態２．
本実施の形態では、波長多重された光信号を入射する。実施の形態１と異なる部分について説明する。
【００１７】
図２は、本実施の形態の受光装置の構成例を示す図である。受光装置は、入射ポート１と、レンズアレイ３ａと、レンズ４と、レンズ５と、受光部アレイ６と、電気出力ポート７−１，７−２，７−３，７−４と、を備える。
【００１８】
入射ポート１は、外部からデジタル情報に基づいて変調された異なる４つの波長（λ1，λ2，λ3，λ4）が多重された光信号を受光装置内へ入射する。レンズアレイ３ａは、さらに、波長分離フィルタ８−１，８−２，８−３，８−４と、レンズ２５，３１，３２，３３，３４と、を備える。波長分離フィルタ８−１，８−２，８−３，８−４は、それぞれ、波長多重された光信号を波長ごとに分波する。レンズ２５は、入射ポート１からの１つの光信号の光の状態をコリメート光に変換する。
【００１９】
実施の形態１と同様、レンズ３１，３２，３３，３４とレンズ４の距離、レンズ４とレンズ５の距離、およびレンズ５と受光部６１，６２，６３，６４の距離をテレセントリック光学系に配置する。このような構成をとることによって、図２の受光装置において、入射ポート（光ファイバ）１の実装精度およびピッチ精度、レンズ２５の実装精度およびピッチ精度、波長分離フィルタ８−１，８−２，８−３，８−４の実装精度およびピッチ精度、レンズ３１，３２，３３，３４の実装精度およびピッチ精度の精度が低い場合に生じるレンズ３１，３２，３３，３４を通過した光（光信号）の集光位置（参照面）のピッチのばらつきを、「ｆ５／ｆ４」倍（ｆ５＜ｆ４）の倍率分だけ低減して、受光部６１，６２，６３，６４が受光できる。
【００２０】
つづいて、受光装置における光信号の受信動作について説明する。入射ポート１は、光信号を入射されると、レンズ２５へ出力する。レンズ２５は、入力した１つの光信号の光の状態をコリメート光に変換する。波長分離フィルタ８−１，８−２，８−３，８−４は、コリメート変換された光信号を、それぞれ波長ごとに分波する。ここでは、波長多重された光信号から、波長分離フィルタ８−４が、波長λ4の光信号を分波して、集光レンズ３４へ出力する。同様に、波長分離フィルタ８−３が波長λ3の光信号を分波して集光レンズ３３へ出力し、波長分離フィルタ８−２が波長λ2の光信号を分波して集光レンズ３２へ出力し、最後に、波長分離フィルタ８−１が波長λ1の光信号を分波して集光レンズ３１へ出力する。以降の動作については実施の形態１と同様である。
【００２１】
以上説明したように、本実施の形態では、波長多重された光信号を波長分離後に、光信号の光の状態を複数のレンズによってコリメート光に変換および複数のレンズによって集光後、さらに、１組のレンズを用いてコリメート光に変換および集光することとした。これにより、波長多重された光信号を用いる場合においても、受光部での集光位置のばらつきを低減することができる。
【００２２】
実施の形態３．
本実施の形態では、設置場所の異なる複数の受光部を設定する。実施の形態２と異なる部分について説明する。
【００２３】
図３は、本実施の形態の受光装置の構成例を示す図である。受光装置は、入射ポート１と、レンズアレイ３ａと、レンズ４と、レンズ５と、受光部アレイ６ａ，６ｂと、電気出力ポート７−１，７−２，７−３，７−４と、レンズ９と、レンズ１０と、を備える。
【００２４】
受光部アレイ６ａは、さらに、２つの受光部６１，６２を備え、それぞれレンズ１０が集光した光（光信号）を受光する。受光部アレイ６ｂは、さらに、２つの受光部６３，６４を備え、それぞれレンズ５が集光した光（光信号）を受光する。レンズ９は、入射した２つの集光された光を同時にコリメート光に変換する。レンズ１０は、入射した２つのコリメート光を受光部６１，６２へ集光する。
【００２５】
このような構成にすることにより、受光装置は、設置場所の異なる複数の受光部に対して光信号を集光することができる。また、本実施の形態では、レンズ９およびレンズ１０についても、テレセントリック光学系に配置する。すなわち、レンズ９の焦点距離をｆ９、レンズ１０の焦点距離をｆ１０とした場合、レンズ５とレンズ９の距離を「ｆ５＋ｆ９」とし、レンズ９とレンズ１０の距離を「ｆ９＋ｆ１０」とし、レンズ１０と受光部６１，６２の距離を「ｆ１０」となるように配置する。受光部６１，６２が受光する光信号は、受光部６３，６４が受光する光信号に対して「ｆ１０／ｆ９」倍となり、同様に、集光位置のばらつきも「ｆ１０／ｆ９」倍となる。よって、ｆ１０をｆ９よりも小さくして「ｆ１０／ｆ９」の値を１より小さくすることによって、さらに、受光部６１，６２における集光位置のばらつきを低減することができる。
【００２６】
つづいて、受光装置における光信号の受信動作について説明する。レンズ９は、レンズ５が集光した光のうち、２つの光（波長λ1，λ2）を同時にコリメート光へ変換する。その後、レンズ９と対になるレンズ１０が、２つのコリメート光を、受光部アレイ６ａが備える受光部６１，６２へ集光する。
【００２７】
以上説明したように、本実施の形態では、１組のレンズを用いて集光位置のばらつきを低減した後、一部の光信号に対して、さらに、別の１組のレンズを用いることとした。これにより、設置場所の異なる複数の受光部に対して光信号を集光することができ、さらに、集光位置のばらつきを低減することができる。
【００２８】
なお、実施の形態２に基づいて説明したが、実施の形態１についても適用可能である。
【００２９】
実施の形態４．
本実施の形態では、入射ポートと電気出力ポートを同一方向に配置する。実施の形態２と異なる部分について説明する。
【００３０】
図４は、本実施の形態の受光装置の構成例を示す図である。受光装置は、入射ポート１と、レンズアレイ３ｂと、レンズ４と、レンズ５と、受光部アレイ６と、電気出力ポート７−１，７−２，７−３，７−４と、を備える。
【００３１】
レンズアレイ３ｂは、さらに、ミラー１１と、波長分離フィルタ８−１，８−２，８−３，８−４と、レンズ２５，３１，３２，３３，３４と、を備える。ミラー１１は、レンズ２５がコリメート変換した光信号の進行方向を９０°変換する。
【００３２】
つづいて、受光装置における光信号の受信動作について説明する。入射ポート１は、光信号を入射されると、レンズ２５へ出力する。レンズ２５は、入力した１つの光信号の光の状態をコリメート光に変換する。ミラー１１は、レンズ２５からのコリメート光を波長分離フィルタ８−１，８−２，８−３，８−４の方向へ進行方向を９０°変換する。以降の動作については実施の形態２と同様である。
【００３３】
以上説明したように、本実施の形態では、ミラーを用いて光信号の進行方向を変更し、入力ポートと電気出力ポートを同一方向に配置することとした。これにより、信号の送受信面を同一にできるため、様々な回路構成が可能となる。
【００３４】
なお、本実施の形態では、レンズアレイの一部としてミラーを用いたが、これに限定するものでない。たとえば、コリメート光に変換するレンズの前、波長分離フィルタの後、またはレンズアレイの後に単体のミラーを配置してもよい。また、単体のミラーを用いることで、実施の形態１についても適用が可能となる。
【００３５】
実施の形態５．
本実施の形態では、送信可能な光送受信装置について説明する。実施の形態２と異なる部分について説明する。
図５は、本実施の形態の光送受信装置の構成例を示す図である。光送受信装置は、入出力ポート１２と、レンズアレイ３ａと、レンズ４と、レンズ５と、受光発光部アレイ１３と、電気出力ポート７−１，７−２，７−３と、電気入力ポート１５と、を備える。
【００３６】
入出力ポート１２は、外部からデジタル情報に基づいて変調された光信号を光送受信装置内へ入射し、また、光送受信装置内からの光信号を外部へ出力する。受光発光部アレイ１３は、さらに、受光部６１，６２，６３と、発光部１４と、を備える。発光部１４は、電気入力ポート１５からの光信号を出力する。電気入力ポート１５は、外部へ出力する電気信号を光信号に変換する。本実施の形態においても光信号として４つの波長（λ1，λ2，λ3，λ4）を用いるが、１つ（λ4）を光送受信装置からの送信用として使用する。
【００３７】
なお、本実施の形態では、レンズ５、レンズ４、レンズアレイ３ａが備えるレンズ３４およびレンズ２５は、発光部１４からの光信号に対して、光信号を受信する場合とは反対の働きをする。すなわち、レンズ５は、自装置からの光信号に対して光の状態をコリメート光に変換する。レンズ４は、コリメートされた光を集光する。レンズ３４は、集光された光をコリメート光に変換する。レンズ２５は、コリメートされた光を集光する。
【００３８】
つづいて、光送受信装置における光信号の送信動作について説明する。光送受信装置から送信を行う場合、電気入力ポート１５では、送信すべき電気信号が入力された場合、光信号に変換して発光部１４へ出力する。発光部１４は、変換された光信号を出力する。レンズ５は、発光部１４からの光信号の光の状態をコリメート光に変換する。その後、レンズ４が、コリメート光を集光する。さらに、レンズ３４が集光した光をコリメート光に変換し、波長分離フィルタ８−４が波長λ4の光を出力し、レンズ２５が波長λ4の光を入出力ポート１２へ集光する。入出力ポート１２は、レンズ２５が集光した光（光信号）を受光して外部へ出力する。光送受信装置が光信号を受信する場合の動作については、実施の形態２と同様である。
【００３９】
以上説明したように、本実施の形態では、受光部の一部を発光部に置き換えることとした。これにより、光送受信装置として使用する場合においても、受光部での集光位置のばらつきを低減することができる。
【００４０】
なお、実施の形態２に基づいて説明したが、これに限定するものではなく、他の実施の形態についても適用可能である。また、発光部が１つの場合について説明したが、これに限定するものではなく、２つ以上備える構成としてもよい。
【産業上の利用可能性】
【００４１】
以上のように、本発明にかかる受光装置は、光通信に有用であり、特に、光信号を受信する場合に適している。
【図面の簡単な説明】
【００４２】
【図１】実施の形態１の受光装置の構成例を示す図である。
【図２】実施の形態２の受光装置の構成例を示す図である。
【図３】実施の形態３の受光装置の構成例を示す図である。
【図４】実施の形態４の受光装置の構成例を示す図である。
【図５】実施の形態５の光送受信装置の構成例を示す図である。
【符号の説明】
【００４３】
１，１−１，１−２，１−３，１−４  入射ポート
２  レンズアレイ
３，３ａ，３ｂ  レンズアレイ
４  レンズ
５  レンズ
６，６ａ，６ｂ  受光部アレイ
７−１，７−２，７−３，７−４  電気出力ポート
８−１，８−２，８−３，８−４  波長分離フィルタ
９  レンズ
１０  レンズ
１１  ミラー
１２  入出力ポート
１３  受光発光部アレイ
１４  発光部
１５  電気入力ポート
２１，２２，２３，２４，２５  レンズ
３１，３２，３３，３４  レンズ
６１，６２，６３，６４  受光部
【図１】
2010160218.tif 000003
【図２】
2010160218.tif 000004
【図３】
2010160218.tif 000005
【図４】
2010160218.tif 000006
【図５】
2010160218.tif 000007